(57)【要約】【課題】機器取付板の装着スペース周囲に十分な配線スペースが無くても、機器への配線接続を容易にすると共に偏りのない配線収納を可能とする。【解決手段】電流制限器を取付けるリミッター木板１を、機器を取付ける木製のベース板２とベース板２を保持して分電盤のケース本体に固定する固定部材３とで形成し、固定部材３にケース本体にねじ止め固定するためのねじ挿通孔５を形成した。ねじ挿通孔５はベース板２の長手方向に長軸を有する長孔で形成し、リミッター木板１をねじ止め部位を変えずにベース板２の長手方向に移動可能とした。【選択図】　図１
2004007861.tif 000002
【特許請求の範囲】
【請求項１】
分電盤ケース本体に機器取付板を介して機器を取付ける住宅用分電盤の機器取付構造であって、前記機器取付板は前記ケース本体にねじ止め固定するためのねじ挿通孔を有し、該ねじ挿通孔が一定方向に長い長孔であることを特徴とする住宅用分電盤の機器取付構造。
【請求項２】
機器取付板が、機器を取付ける木製ベース板と該ベース板を保持してケース本体に固定する固定部材とから成り、該固定部材にねじ挿通孔を設けて成る請求項１記載の住宅用分電盤の機器取付構造。
【発明の詳細な説明】
【０００１】
【発明の属する技術分野】
本発明は、住宅やアパート等に使用される住宅用分電盤に関し、詳しくは住宅用分電盤の機器取付構造の改良に関する。
【０００２】
【従来の技術】
従来の住宅用分電盤の機器取付構造は図５，図６に示す構成のものが知られている。図５は住宅用分電盤のケース本体を縦長に配置した構成、図６は横長に配置した構成を示し、２０はケース本体、２１は配線挿通用開口部、２２は主幹ブレーカ、２３は分岐ブレーカであり、２４は電流制限器を組付けるためのリミッター木板を示している。リミッター木板２４は、図５では主幹ブレーカ２２に隣接する位置にケース本体２０の中心軸に沿うようにねじ止め固定され、また図６では主幹ブレーカ２２に隣接するケース本体２０の隅部にねじ止め固定され、何れも周囲に配線スペースとなる空間を設けて取付けられている。
【０００３】
【発明が解決しようとする課題】
近年、家庭で使用される電気機器の増加、特に情報機器の増加に伴い住宅用分電盤に収納する機器は増加する傾向にある。ところが、一方で住宅用分電盤は省スペースの要求があり、小型化が進んでいる。
【０００４】
そのため、上述するリミッター木板２４の周囲の配線スペースは十分な余裕がない場合もあり、例えば図５では２５ａが電流制限器の一次側配線スペース、２５ｂが二次側配線スペースであるが、このスペースに余裕が無い場合は、機器取付板に取付けた電流制限器への配線接続作業がし辛くなるし、一次側配線スペース２５ａが特に狭くて配線の収納に無理が発生するにも拘わらず他方の二次側配線スペース２５ｂには余裕があったり、その逆が発生したりと、配線スペースの配置に偏りが発生する場合もあった。
また、ルーターやＨＵＢ等の情報機器等も通常分電盤内に設けられた板状の機器取付板としての情報機器取付ベース上に組付けられるが、ケース本体２０の小型化のため、取付けた機器取付板の周囲に設けた配線スペースに余裕がなくなる傾向があった。
【０００５】
そこで、本発明は上記問題点に鑑み、機器取付板の装着スペース周囲に十分な配線スペースが無くても、機器への配線接続を容易にすると共に偏りのない配線収納を可能とする住宅用分電盤の機器取付構造を提供することを課題とする。
【０００６】
【課題を解決するための手段】
上記課題を解決するため、請求項１の発明は、分電盤ケース本体に機器取付板を介して機器を取付ける住宅用分電盤の機器取付構造であって、前記機器取付板は前記ケース本体にねじ止め固定するためのねじ挿通孔を有し、該ねじ挿通孔が一定方向に長い長孔であることを特徴とする。
【０００７】
請求項２の発明は、請求項１の発明において、機器取付板が、機器を取付ける木製ベース板と該ベース板を保持してケース本体に固定する固定部材とから成り、該固定部材にねじ挿通孔を設けて成ることを特徴とする。
【０００８】
【発明の実施の形態】
以下、本発明を具体化した実施の形態を、図面に基づいて詳細に説明する。図１〜図３は本発明に係る住宅用分電盤の機器取付構造の一例を示し、図１は機器取付板の１つであるリミッター木板、図２，図３は図１のリミッター木板を装着したケース本体の部分正面図を示している。
リミッター木板１は、電流制限器（図示せず）を組付ける木製のベース板２と、ねじ挿通孔５を有しベース板２を保持してケース本体４に連結するための固定部材３とで形成されている。
【０００９】
固定部材３は鋼板をプレス成形又は樹脂製の成型部品で形成され、ベース板２の外形に合わせて形成された枠状のベース板収容部３ａとその長辺側２辺に設けた帯状の連結片３ｂから成り、連結片３ｂには夫々２ヶ所にねじを挿通するねじ挿通孔５が設けられている。ねじ挿通孔５は何れも連結片３ｂの長手方向に平行に長軸を配置した長孔として形成されている。
【００１０】
そして、図２，図３において、７は分電盤のケース本体４の底部に設けられた配線を挿通するための開口部、８は主幹ブレーカ、９は分岐ブレーカであり、図２ではリミッター木板１はねじ挿通孔５の図に示す上端部がケース本体４の底部にねじ１０によりねじ止め固定され、図３ではねじ挿通孔５の下端部がケース本体４の底部にネジ止め固定される。
【００１１】
この長孔に形成したねじ挿通孔５の作用を説明すると、ねじ挿通孔５を長孔とすることで、リミッター木板１の取付位置を長孔の長さに応じて移動させることができる。そのため、例えば取付けた電流制限器の電源側端子（一次側端子）が配置されるリミッター木板１の一次側配線スペース１１ａが狭く、電源側端子への接続作業がし辛かったら図２に示すように長孔上端部にねじを配置、即ちリミッター木板１を下方に移動して一次側の配線スペース１１ａを広げることで、作業空間を確保することができ、接続作業が容易に実施可能となる。
また、負荷側端子（二次側端子）の接続をする場合は、図３に示すようにリミッター木板１を最上位置に移動して二次側配線スペース１１ｂを広くすることで、接続作業が容易に実施可能となる。
そして、接続が終了したらリミッター木板１をその位置で固定しても良いし、一次側と二次側の配線の込み具合をみて、長孔の適当な位置でネジ止め固定すれば良い。
【００１２】
このように、ねじ取付孔を長孔として長孔の長軸方向に対して機器取付板の取付位置を容易に変更できるので、配線の接続作業の際には配線スペース変更して有効に活用できる。また、双方の配線スペースを相対的に最良の配置にすることが可能であり、一方の配線の収納に無理が生ずるようなことが無くなり、分電盤を小型化する際効果的である。
【００１３】
図４はリミッター木板の他の形状を示し、木製ベース板１２を幅広く形成してベース板自体にねじ挿通孔５を形成している。このように、ベース板自体にねじ挿通孔を設けて、固定部材を用いない構成としても良い。
【００１４】
尚、上記実施の形態は機器取付板として電流制限器を組付けるリミッター木板を例に示したが、他の機器例えばモデムやＨＵＢ等の情報機器を組付ける情報機器取付ベースに対しても有効に適用できる。また、機器取付板を木製としたが、樹脂板であっても良いし、金属板で形成しても良い。但し金属板で形成する場合は固定部材は必要無くなる。また、長孔はリミッター木板の長手方向に平行に形成した例を示しているが、短手方向に平行に形成しても良い。
【００１５】
【発明の効果】
以上詳述したように、請求項１，２の発明によれば、ねじ挿通孔を長孔としたので、長孔の長軸方向に対して機器取付板の取付位置を容易に変更でき、長孔の長軸方向の例えば一次側配線スペースと二次側配線スペースを容易に変更でき、配線の接続作業の際には配線スペースを有効に活用できる。また、双方の配線スペースを相対的に最良の配置にすることが可能であり、一方の配線の収納に無理を生ずるようなことが無くなり、分電盤を小型化する際効果的である。
【図面の簡単な説明】
【図１】本発明に係る住宅用分電盤の機器取付構造を説明する機器取付板の斜視図であり、（ａ）はベース板と固定部材を分離した状態、（ｂ）は一体化した状態を示している。
【図２】図１の機器取付板を装着したケース本体の部分正面図である。
【図３】図１の機器取付板を装着したケース本体の部分正面図であり、図２に対して機器取付板を移動した図である。
【図４】本発明の他の形態を示すケース本体の部分正面図である。
【図５】従来の住宅用分電盤の機器取付構造を説明するケース本体の正面図である。
【図６】従来の住宅用分電盤の機器取付構造を説明するケース本体の正面図である。
【符号の説明】
１・・機器取付板としてのリミッター木板、２・・ベース板、３・・固定部材、４・・ケース本体、５・・ねじ挿通孔、１２・・ベース板。
【図１】
2004007861.tif 000003
【図２】
2004007861.tif 000004
【図３】
2004007861.tif 000005
【図４】
2004007861.tif 000006
【図５】
2004007861.tif 000007
【図６】
2004007861.tif 000008